(57)【要約】【課題】長期信頼性を確保することができ、ピンの芯出しを容易に行え、しかも、量産性に優れたピンタイプ保持器を提供する。【解決手段】第２リング１０２は、周方向に所定間隔をあけて設けられて段部１０９を含む複数の貫通穴１０６を有する。第２リング１０２の貫通穴１０６には丸棒状のピン１０３の他端が挿入されている。ピン１０３は他端に盲穴１１０を有する。止めねじ１０４は、先端側に近づくにしたがって徐々に径が縮小する軸部１１１と、この軸部１１１の大径端部に連なって貫通穴１０６の段部１０９に当接する頭部１１２とを有する。盲穴１１０には平行ねじが設けられ、かつ、軸部１１１には、平行ねじに螺合するテーパねじが設けられている。ピン１０３の盲穴１１０を有する部分は、止めねじ１０４の締め付けによって拡径させられ、外面が貫通穴１０６の内面に押し付けられて、第２リング１０２に固定されている。【選択図】図３
2008298134.tif 000002
【特許請求の範囲】
【請求項１】
第１リングと、
周方向に所定間隔をあけて設けられて段部を含む複数の貫通穴を有する第２リングと、
上記第１リングに一端が取り付けられると共に、上記第２リングの貫通穴に他端が挿入され、かつ、平行ねじが設けられた盲穴を他端に有する丸棒状のピンと、
先端側に近づくにしたがって徐々に径が縮小すると共に上記平行ねじに螺合するテーパねじが設けられた軸部と、この軸部の大径端部に連なって上記貫通穴の段部に当接する頭部とを有するねじ部材と
を備え、
上記ピンの上記盲穴を有する部分は、上記ねじ部材の締め付けによって拡径させられ、外面が上記貫通穴の内面に押し付けられて、上記第２リングに固定されていることを特徴とするピンタイプ保持器。
【発明の詳細な説明】
【技術分野】
【０００１】
本発明は、例えば風力発電機や鉄鋼圧延機等に使用されるピンタイプ保持器に関する。
【背景技術】
【０００２】
従来、ころ軸受としては、ころ間の隙間を小さくできるピンタイプ保持器を備え、大荷重、振動および衝撃が発生するような設備に使用されるものがある。
【０００３】
上記ピンタイプ保持器は、第１リングと、第２リングと、第１リングおよび第２リングを連結する複数の丸棒状のピンとを備えている。
【０００４】
上記各ピンは、ころの中心の貫通穴に挿通されて、ころを回転自在に、かつ、ころ同士の間隔を所定に保つようにしている。また、上記各ピンは、一端が第１リングにねじ固定され、かつ、他端が第２リングに溶接固定されている。
【０００５】
しかし、このような構造では、ピンの他端と第２リングとの溶接部が、長年の使用において過度な衝撃や負荷が加わるなどの要因で疲労しやすい。
【０００６】
このため、特許文献１（特開平１０−２２０４６４号公報）では、図１２に示すように、第２リング３０２および円錐状のブッシュ３０５を使用している。この第２リング３０２には、第１リング３０１側に近づくにしたがって径が縮小する貫通穴３０３が設けられている。また、上記ブッシュ３０５は、ピン３０４の他端と貫通穴３０３との狭い隙間に円錐状のブッシュ３０５に圧入されるものである。なお、図１２の３０７は円筒ころである。
【０００７】
このように、上記ピン３０４の他端と貫通穴３０３との狭い隙間に円錐状のブッシュ３０５を圧入すると、衝撃や負荷が、溶接部３０６に集中せず、ブッシュ３０５および溶接部３０６に分散する。これにより、上記溶接部３０６の破損を防ぐことができる。
【０００８】
また、上記ピン３０４の他端と貫通穴３０３との狭い隙間に円錐状のブッシュ３０５を圧入することにより、ピン３０４の他端の芯出しを容易に行える。
【０００９】
しかしながら、上記狭い隙間にブッシュ３０５を圧入する作業は非常に困難であるため、ピンタイプ保持器を組み立てる際の作業性が悪く、量産性が低いという問題がある。
【特許文献１】特開平１０−２２０４６４号公報
【発明の開示】
【発明が解決しようとする課題】
【００１０】
そこで、本発明の課題は、長期信頼性を確保することができ、ピンの芯出しを容易に行え、しかも、量産性に優れたピンタイプ保持器を提供することにある。
【課題を解決するための手段】
【００１１】
上記課題を解決するため、本発明のピンタイプ保持器は、
第１リングと、
周方向に所定間隔をあけて設けられて段部を含む複数の貫通穴を有する第２リングと、
上記第１リングに一端が取り付けられると共に、上記第２リングの貫通穴に他端が挿入され、かつ、平行ねじが設けられた盲穴を他端に有する丸棒状のピンと、
先端側に近づくにしたがって徐々に径が縮小すると共に上記平行ねじに螺合するテーパねじが設けられた軸部と、この軸部の大径端部に連なって上記貫通穴の段部に当接する頭部とを有するねじ部材と
を備え、
上記ピンの上記盲穴を有する部分は、上記ねじ部材の締め付けによって拡径させられ、外面が上記貫通穴の内面に押し付けられて、上記第２リングに固定されていることを特徴としている。
【００１２】
上記構成のピンタイプ保持器によれば、上記ピンの盲穴を有する部分は、ねじ部材の締め付けによって拡径させられ、外面が第２リングの貫通穴の内面に押し付けられて、第２リングに固定されているので、ピンの盲穴を有する部分と第２リングとを固定しても、この固定による固定部に衝撃や負荷が集中しない。つまり、上記衝撃や負荷は、ピンの盲穴を有する部分と、固定部とに分散する。
【００１３】
したがって、上記固定部は長期間にわたって破損し難く、長期信頼性を確保することができる。
【００１４】
また、上記ねじ部材を締め付けることによって、ピンの盲穴を有する部分が拡径し、その部分の外面が第２リングの貫通穴の内面に押し付けられるので、ピンの盲穴を有する部分の芯出しを容易に行える。
【００１５】
また、上記ピンの盲穴を有する部分は、ねじ部材の締め付けによって拡径させられ、外面が上記貫通穴の内面に押し付けられて、第２リングに固定されているので、ピンの盲穴を有する部分と第２リングの貫通穴との間に例えばブッシュを圧入しなくてもよい。
【００１６】
したがって、上記ブッシュの使用を無くして、第２リングにピンを固定する作業性を向上させ、量産性を高めることができる。
【００１７】
また、上記ねじ部材を締め付けると、ねじ部材の頭部が第２リングの貫通穴の段部に当接するので、第２リングの貫通穴内に引き込む方向の力がピンにかかる。
【００１８】
したがって、上記第２リングの貫通穴からピンが抜け難く、第２リングに対するピンの固定力を高めることができる。
【発明の効果】
【００１９】
本発明のピンタイプ保持器によれば、ピンの盲穴を有する部分は、ねじ部材の締め付けによって拡径させられ、外面が第２リングの貫通穴の内面に押し付けられて、第２リングに固定されていることによって、ピンの盲穴を有する部分と第２リングとを固定しても、この固定による固定部に衝撃や負荷が集中しないので、その固定部の破損を防ぎ、長期信頼性を確保することができる。
【００２０】
また、上記ねじ部材を締め付けることによって、ピンの盲穴を有する部分が拡径し、その部分の外面が第２リングの貫通穴の内面に押し付けられるので、ピンの盲穴を有する部分の芯出しを容易に行える。
【００２１】
また、上記ピンの上記盲穴を有する部分は、ねじ部材の締め付けによって拡径させられ、外面が上記貫通穴の内面に押し付けられて、第２リングに固定されているので、ピンの盲穴を有する部分と第２リングの貫通穴との間に例えばブッシュを圧入しなくてもよい。
【００２２】
したがって、上記ブッシュの使用を無くして、第２リングにピンを固定する作業性を向上させ、量産性を高めることができる。
【００２３】
また、上記ねじ部材を締め付けると、ねじ部材の頭部が第２リングの貫通穴の段部に当接するので、第２リングの貫通穴内に引き込む方向の力がピンにかかる。
【００２４】
したがって、上記第２リングの貫通穴からピンが抜け難く、第２リングに対するピンの固定力を高めることができる。
【発明を実施するための最良の形態】
【００２５】
以下、本発明のピンタイプ保持器を図示の実施の形態により詳細に説明する。
【００２６】
（第１実施形態）
図１に、本発明の第１実施形態の円筒ころ軸受を斜めから見た模式図を示す。なお、図１においては、上記円筒ころ軸受の断面を示すため、円筒ころ軸受の一部を除去している。
【００２７】
上記円筒ころ軸受は、内輪１と、外輪２と、内輪１と外輪２との間に配置された複数の円筒ころ３と、この円筒ころ３同士の間隔を所定に保つように保持するピンタイプ保持器１００とを備えている。
【００２８】
図２に、図１の円Ａで囲んだ部分を拡大して示す。
【００２９】
上記内輪１は、軸方向に対して傾斜する内輪軌道面４を有している。また、上記内輪１には、内輪軌道面４の軸方向の両側に鍔部６が形成されている。この鍔部６の軸方向内側の面は、円筒ころ３の転動時に、円筒ころ３の軸方向の端面をすべり案内する案内面となる。
【００３０】
上記外輪２は、軸方向に対して傾斜し、かつ、内輪軌道面４に沿って延びる外輪軌道面５を有している。また、上記外輪２は、一方の軸方向の端部が他方の軸方向の端部よりも厚く形成されて、断面形状が略台形となっている。
【００３１】
上記各円筒ころ３の中心には貫通穴７が形成されている。この貫通穴７は、円筒ころ３の中心軸（転動軸）に沿って延び、円筒ころ３を貫通している。
【００３２】
上記ピンタイプ保持器１００は、環状の第１リング１０１と、この第１リング１０１に軸方向に間隔をあけて設けられた環状の第２リング１０２と、それぞれが円筒ころ３の中心の貫通穴７に挿通された複数の丸棒状のピン１０３（１個のみを示す）とを備えている。
【００３３】
上記第１リング１０１には、周方向に所定間隔をあけて複数のねじ穴１０５が形成されている。この各ねじ穴１０５は第１リング１０１を貫通している。
【００３４】
上記第２リング１０２は、第１リング１０１の外径よりも小さな外径を有すると共に、第１リング１０１の内径よりも小さな内径を有する。
【００３５】
図３に、上記ピンタイプ保持器１００の模式断面を示す。
【００３６】
上記第２リング１０２には、周方向に所定間隔をあけて設けられた複数の貫通穴（１個のみを示す）１０６を有する。この各貫通穴１０６は、第１リング１０１側に位置する小径部１０７と、第１リング１０１側とは反対側に位置する大径部１０８と、小径部１０７および大径部１０８を連結する段部１０９とから成っている。
【００３７】
上記各ピン１０３は、一端が第１リング１０１に取り付けられ、かつ、他端が第２リング１０２に取り付けられている。そして、上記各ピン１０３は、円筒ころ３の中心の貫通穴７に挿通されて、円筒ころ３を回転自在に支持する。
【００３８】
上記各ピン１０３の第１リング１０１側の端部にはねじ軸１１８が設けられている。このねじ軸１１８が第１リング１０１のねじ穴１０５に螺合して、各ピン１０３が第１リング１０１に固定されている。
【００３９】
上記各ピン１０３の他端は、第２リング１０２の貫通穴１０６の小径部１０７内に挿入される。また、上記各ピン１０３は他端に盲穴１１０を有している。この盲穴１１０には平行ねじが設けられている。
【００４０】
また、上記ピンタイプ保持器１００は止めねじ１０４を備え、この止めねじ１０４が、先端側に近づくにしたがって徐々に径が縮小する軸部１１１と、この軸部１１１の大径端部に連なる頭部と１１２とから成っている。上記軸部１１１には、盲穴１１０の平行ねじに螺合するテーパねじが設けられている。なお、上記止めねじ１０４はねじ部材の一例である。
【００４１】
上記ピン１０３の盲穴１１０を有する部分は、止めねじ１０４の締め付けによって拡径させられ、外面が貫通穴１０６の小径部１０７の内面に押し付けられて、ピン１０３が第２リング１０２に固定されている。
【００４２】
図４に、上記ピンタイプ保持器１００を図３の矢印Ｂ方向からみた模式図を示す。
【００４３】
上記頭部１１２の端面には、六角柱状の盲穴１１３が設けられている。そして、上記頭部１１２と第２リング１０２とが溶接により固定されて、大径部１０８内に溶接部（固定部）１１４が設けられている。この溶接部１１４は、止めねじ１０４に引っ張り方向荷重を与えた状態で、止めねじ１０４を第２リング１０２に溶接して形成する。
【００４４】
図５に、上記ピン１０３の他端面の模式図を示す。
【００４５】
上記ピン１０３の他端面（第２リング１０２側の端面）には、１８０°の位相で取付用盲穴１１５，１１６が設けられている。この取付用盲穴１１５，１１６に、図示しない取付治具の先端を嵌合させることにより、ピン１０３を回転させて、ピン１０３のねじ軸１１８を第１リング１０１のねじ穴１０５に螺合させることができる（図３参照）。
【００４６】
図６に、上記ピン１０３を正面から見た模式図を示す。
【００４７】
上記ピン１０３の盲穴１１０を有する部分の外面には浸炭処理が施されている。これにより、上記部分の外面が貫通穴１０６の小径部１０７の内面に押し付けられても、その部分が損傷し難くなっている。
【００４８】
上記構成のピンタイプ保持器によれば、第２リング１０２にピン１０３を固定する場合、まず、ピン１０３の盲穴１１０を有する部分を、貫通穴１０６の小径部１０７内に挿入して、小径部１０７に止まり嵌めする。そして、上記止めねじ１０４の軸部１１１のテーパねじを、ピン１０３の他端にある盲穴１１０の平行ねじに螺合させた後、止めねじ１０４を締め付ける。そうすると、上記ピン１０３の盲穴１１０を有する部分が全周にわたって径方向外側に膨出し、その結果、その部分の外面が全周にわたって第２リング１０２の貫通穴１０６の内面に押し付けられて、第２リング１０２にピン１０３が固定される。
【００４９】
このように、上記ピン１０３の盲穴１１０を有する部分の外面が第２リング１０２の貫通穴１０６の内面に接触しているので、衝撃や負荷は、溶接部１１４に集中せず、ピン１０３および溶接部１１４に分散する。
【００５０】
したがって、上記溶接部１１４は長期間にわたって破損し難くなり、長期信頼性を確保することができる。
【００５１】
また、上記止めねじ１０４を締め付けることによって、ピン１０３の盲穴１１０を有する部分が拡径し、その部分の外面が第２リング１０２の貫通穴１０６の内面に押し付けられるので、ピン１０３の盲穴１１０を有する部分の芯出しを容易に行える。
【００５２】
また、上記ピン１０３の盲穴１１０を有する部分は、止めねじ１０４の締め付けによって拡径させられ、外面が貫通穴１０６の内面に押し付けられて、第２リング１０２に固定されているので、ピン１０３の盲穴１１０を有する部分と第２リング１０２の貫通穴１０６との間に例えばブッシュを圧入しなくてよい。
【００５３】
したがって、上記ブッシュの圧入に関する工程が無くなるので、第２リング１０２にピン１０３を固定する作業性を向上させ、量産性を高めることができる。
【００５４】
また、上記止めねじ１０４を締め付けると、止めねじ１０４の頭部が第２リング１０２の貫通穴１０６の段部に当接しているので、第２リング１０２の貫通穴１０６内に引き込む方向の力がピン１０３にかかる。
【００５５】
したがって、上記第２リング１０２の貫通穴１０６からピン１０３が抜け難く、第２リング１０２に対するピン１０３の固定力を高めることができる。
【００５６】
また、上記取付治具を用いなくても、次のようにすれば、第１リング１０１にピン１０３を固定することができる。
【００５７】
まず、図７に示すように、円筒ころ３、第１リング１０１、第２リング１０２およびピン１０３を仮組した後、上記止めねじ１０４の軸部１１１のテーパねじを、ピン１０３の他端にある盲穴１１０の平行ねじに螺合させた後、止めねじ１０４を回す。そうすると、上記止めねじ１０４の回転に伴って、ピン１０３が回転して、ピン１０３のねじ軸１１８のねじ締めが行われて、第１リング１０１にピン１０３を固定することができる。
【００５８】
さらに、上記止めねじ１０４を回すと、上述したように、ピン１０３の盲穴１１０を有する部分が全周にわたって径方向外側に膨出して、第２リング１０２にピン１０３を固定することができる。
【００５９】
また、上記止めねじ１０４に引っ張り方向荷重を与えた状態で、止めねじ１０４を第２リング１０２に溶接しているので、止めねじ１０４の緩みを高い信頼性で防止できる。
【００６０】
上記第１実施形態において、第１リング１０１とピン１０３との固定構造に、第２リング１０２とピン１０３との固定構造を用いてもよい。つまり、上記ピン１０３の両端に、平行ねじを有する盲穴を設けてもよい。
【００６１】
上記頭部１１２と第２リング１０２との固定は、溶接部１１４に限らず、確実に締付（緩み止め）させるフェイルセーフ手段によればよい。例えば、別の方法としては、ロックタイト（登録商標）等の接着剤により接着部としてもよい。
【００６２】
（第２実施形態）
図８に、本発明の第２実施形態のピンタイプ保持器２００の模式断面を示す。また、図８において、図３に示した第１実施形態の構成部と同一構成部は、図３における構成部と同一参照番号を付して説明を省略するか、または、簡単に説明する。
【００６３】
上記ピンタイプ保持器２００は、ピン２０３を備えている点のみが上記第１実施形態のピンタイプ保持器１００と異なっている。
【００６４】
上記各ピン２０３は、一端が第１リング１０１に取り付けられ、かつ、他端が第２リング１０２に取り付けられている。そして、上記各ピン２０３は、円筒ころ３（図２参照）の中心の貫通穴７に挿通されて、円筒ころ３を回転自在に支持する。
【００６５】
上記各ピン２０３の第１リング１０１側の端部にはねじ軸２１８が設けられている。このねじ軸２１８が第１リング１０１のねじ穴１０５に螺合して、各ピン２０３が第１リング１０１に固定されている。
【００６６】
上記各ピン２０３の他端は、第２リング１０２の貫通穴１０６の小径部１０７内に挿入される。また、上記各ピン２０３は他端に盲穴２１０を有している。この盲穴２１０には平行ねじが設けられている。この平行ねじに軸部１１１のテーパねじを螺合させる。
【００６７】
上記ピン２０３の盲穴２１０を有する部分は、止めねじ１０４の締め付けによって拡径させられ、外面が貫通穴１０６の小径部１０７の内面に押し付けられて、ピン２０３が第２リング１０２に固定されている。
【００６８】
図９に、上記ピンタイプ保持器２００を図８の矢印Ｃ方向からみた模式図を示す。
【００６９】
上記頭部１１２の端面には、六角柱状の盲穴１１３が設けられている。そして、上記頭部１１２と第２リング１０２とが溶接により固定されて、大径部１０８内に溶接部（固定部）１１４が設けられている。
【００７０】
図１０に、上記ピン２０３の他端面の模式図を示す。
【００７１】
上記ピン２０３の端面には、１８０°の位相で取付用盲穴１１５，１１６を設けている。この取付用盲穴１１５，１１６に、図示しない取付治具の先端を嵌合させることにより、ピン２０３を回転させて、ピン２０３のねじ軸２１８を第１リング１０１のねじ穴１０５に螺合させることができる（図８参照）。
【００７２】
図１１に、上記ピン２０３を正面から見た模式図を示す。
【００７３】
上記ピン２０３の盲穴２１０を有する部分の外面には浸炭処理が施されている。これにより、上記部分の外面が貫通穴１０６の小径部１０７の内面に押し付けられても、その部分が損傷し難くなっている。また、上記ピン２０３の第１リング１０１側の端部には段部２５１を設けている。そして、上記ピン２０３の第２リング１０２側の端部には段部２５２を設けている。
【００７４】
上記構成のピンタイプ保持器によれば、上記第１実施形態の同様の作用効果を奏すると共に、ピン２０３の段部２５１に第１リング１０１を当接させ、かつ、ピン２０３の段部２５２に第２リング１０２を当接させることにより、第１リング１０１と第２リング２０２の間の距離の確実かつ容易に所定に保つことができる。
【００７５】
したがって、上記第１リング１０１と第２リング２０２の間の距離を所定に保つための治具を用いなくてもよく、その距離の管理に掛かる負担を軽減することができる。
【００７６】
また、上記止めねじ１０４を締め付けることにより、頭部１１２と段部２５２とで第２リング１０２がクランプされるので、第２リング１０２にピン２０３を極めて強固に固定することができる。
【００７７】
上記第２実施形態において、第１リング１０１とピン２０３との固定構造に、第２リング１０２とピン２０３との固定構造を用いてもよい。つまり、上記ピン２０３の両端に、平行ねじを有する盲穴を設けてもよい。
【００７８】
本発明のピンタイプ保持器は、円筒ころ軸受のみに使用できるものではなく、円錐ころや自動調心ころや、他の様々なころ軸受に使用できる。
【図面の簡単な説明】
【００７９】
【図１】図１は本発明の第１実施形態の円錐ころ軸受の模式斜視図である。
【図２】図２は図１の円Ａ内の部分の拡大模式図である。
【図３】図３は本発明の第１実施形態のピンタイプ保持器の模式断面図である。
【図４】図４は上記ピンタイプ保持器を図３の矢印Ｂ方向からみた模式図である。
【図５】図５は上記ピンタイプ保持器のピンの他端面の模式図である。
【図６】図６は上記ピンの模式正面図である。
【図７】図７は上記ピンタイプ保持器の一組立方法を説明するための模式図である。
【図８】図８は本発明の第２実施形態のピンタイプ保持器の模式断面図である。
【図９】図９は上記ピンタイプ保持器を図８の矢印Ｃ方向からみた模式図である。
【図１０】図１０は上記ピンタイプ保持器のピンの他端面の模式図である。
【図１１】図１１は上記ピンの模式正面図である。
【図１２】図１２は従来のピンタイプ保持器の模式断面図である。
【符号の説明】
【００８０】
１００，２００  ピンタイプ保持器
１０１  第１リング
１０２  第２リング
１０４  止めねじ
１０３，２０３  ピン
１０６  貫通穴
１０９  段部
１１０，２１０  盲穴
１１１  軸部
１１２  頭部
【図１】
2008298134.tif 000003
【図２】
2008298134.tif 000004
【図３】
2008298134.tif 000005
【図４】
2008298134.tif 000006
【図５】
2008298134.tif 000007
【図６】
2008298134.tif 000008
【図７】
2008298134.tif 000009
【図８】
2008298134.tif 000010
【図９】
2008298134.tif 000011
【図１０】
2008298134.tif 000012
【図１１】
2008298134.tif 000013
【図１２】
2008298134.tif 000014